(57)【要約】【課題】画像データの転送に関するログを記憶する記憶装置の，メモリの圧迫が軽減される転送システム，記憶装置，および転送装置を提供すること。【解決手段】転送システム１は，複数のＦＡＸ機２００とサーバ１００とを備える。ＦＡＸ機２００は，画像データを受信し，受信した画像データを転送先の装置に転送し，受信した画像データへの処理に関するログを生成し，生成したログをサーバ１００に送信する。サーバ１００は，ＦＡＸ機２００から送信されたログを受信し，サーバ１００の記憶部にログを記憶する。さらに，転送システム１は，同一の画像データへの処理に関するログが記憶部に複数記憶される状態を排除する排除処理を実行する。【選択図】図８
2014120903.tif 000002
【特許請求の範囲】
【請求項１】
転送装置と，前記転送装置と通信を行う記憶装置とを備える転送システムにおいて，
前記転送装置は，
画像データを受信するデータ受信部と，
前記データ受信部が受信した画像データを転送先の装置に転送する転送部と，
前記データ受信部が受信した画像データへの処理に関するログを生成する生成部と，
前記生成部が生成したログを前記記憶装置に送信する送信部と，
を備え，
前記記憶装置は，
前記転送装置から送信されたログを受信するログ受信部と，
前記ログ受信部が受信したログを記憶する記憶部と，
を備え，
同一の画像データへの処理に関するログが，前記記憶部に複数記憶される状態を排除する排除処理を実行することを特徴とする転送システム。
【請求項２】
請求項１に記載する転送システムにおいて，
前記記憶装置は，少なくとも前記排除処理を実行する記憶制御部を備え，
前記記憶制御部は，同一の画像データへの処理に関するログが前記記憶部に複数記憶されるか否かを判断する判断処理を実行し，
前記排除処理では，前記判断処理にて複数のログが記憶されると判断された場合に，前記複数のログのうち前記記憶部に記憶される少なくとも１つのログを削除することを特徴とする転送システム。
【請求項３】
請求項２に記載する転送システムにおいて，
前記排除処理では，前記複数のログのうち１つの特定のログ以外のログを削除することを特徴とする転送システム。
【請求項４】
請求項３に記載する転送システムにおいて，
前記排除処理では，前記特定のログを，最後に転送先となった前記転送装置から前記記憶装置に送信されたログとすることを特徴とする転送システム。
【請求項５】
請求項２から請求項４のいずれか１つに記載する転送システムにおいて，
前記転送装置は，転送制御部を備え，
前記転送制御部は，転送先の装置の画像処理能力に応じて，前記データ受信部が受信した画像データを変更する変更処理を実行し，
前記判断処理では，前記変更処理による，変更前の画像データと変更後の画像データとを別の画像データと判断することを特徴とする転送システム。
【請求項６】
請求項１に記載する転送システムにおいて，
前記転送装置は，少なくとも前記排除処理を実行する転送制御部を備え，
前記転送制御部は，前記データ受信部が受信した画像データを，自装置から他装置へ転送するか否かを判断する判断処理を実行し，
前記排除処理では，前記判断処理にて転送すると判断された場合に，前記画像データへの処理に関するログを前記記憶装置に送信しないことを特徴とする転送システム。
【請求項７】
請求項６に記載する転送システムにおいて，
前記転送制御部は，
転送先の装置の画像処理能力に応じて，前記データ受信部が受信した画像データを変更する変更処理と，
前記変更処理によって画像データを変更した場合に，前記変更処理による変更前の画像データを含むログを前記記憶装置に送信する変更ログ送信処理と，
を実行することを特徴とする転送システム。
【請求項８】
請求項６または請求項７に記載する転送システムにおいて，
前記転送制御部は，画像データの転送に関するログの，前記記憶部への記憶を排除することを特徴とする転送システム。
【請求項９】
請求項１から請求項８のいずれか１つに記載する転送システムにおいて，
前記排除処理は，カラーの画像データへの処理に関するログの場合に実行され，モノクロの画像データへの処理に関するログの場合には実行されないことを特徴とする転送システム。
【請求項１０】
請求項１から請求項９のいずれか１つに記載する転送システムにおいて，
前記排除処理は，高解像度の画像データへの処理に関するログの場合に実行され，前記高解像度よりも低い解像度である低解像度の画像データへの処理に関するログの場合には実行されないことを特徴とする転送システム。
【請求項１１】
画像データへの処理に関するログを受信する受信部と，
前記受信部が受信したログを記憶する記憶部と，
制御部と，
を備え，
前記制御部は，
同一の画像データへの処理に関するログが前記記憶部に複数記憶されるか否かを判断する判断処理と，
前記判断処理にて複数のログが記憶されると判断された場合に，前記複数のログのうち前記記憶部に記憶される少なくとも１つのログを削除する排除処理と，
を実行することを特徴とする記憶装置。
【請求項１２】
画像データを受信する受信部と，
前記受信部が受信した画像データを転送先の装置に転送する転送部と，
前記受信部が受信した画像データへの処理に関するログを生成する生成部と，
前記生成部が生成したログを記憶装置に送信する送信部と，
制御部と，
を備え，
前記制御部は，
前記受信部が受信した画像データに対して，自装置から他装置への転送指示を示す転送情報があるか否かを判断する判断処理と，
前記判断処理にて前記転送情報があると判断された場合に，前記画像データへの処理に関するログを前記記憶装置に送信しない排除処理と，
を実行することを特徴とする転送装置。
【発明の詳細な説明】
【技術分野】
【０００１】
本発明は，画像データを装置間で転送する転送システム，記憶装置，および転送装置に関する。さらに詳細には，転送装置によって転送された画像データに関するログを記憶装置に記憶する技術に関するものである。
【背景技術】
【０００２】
従来から，転送装置によって，ある装置から受信した画像データを別の装置に送信する転送システムが知られている。また，転送された画像データに関するログをサーバ等の記憶装置に記憶する技術も知られている。
【０００３】
転送装置および転送に関するログを記憶する技術については，例えば，特許文献１に開示されている。具体的に特許文献１では，予め設定された規則に従って，画像データを指定された装置に自動的に転送すること，転送日時および転送状況を送信元の情報に対応付けて通信履歴として記憶することが開示されている。
【先行技術文献】
【特許文献】
【０００４】
【特許文献１】特開２００５−２７１３９号公報
【発明の概要】
【発明が解決しようとする課題】
【０００５】
しかしながら，前記した従来の技術には，次のような問題があった。すなわち，１つの画像データを複数の装置を経由して転送すると，転送する度にその画像データについてのログが記憶される。そのため，ログを記憶する記憶装置のメモリが圧迫状態に陥る問題がある。
【０００６】
本発明は，前記した従来の技術が有する問題点を解決するためになされたものである。すなわちその課題とするところは，転送された画像データに関するログを記憶する記憶装置の，メモリの圧迫が軽減される転送システム，記憶装置，および転送装置を提供することにある。
【課題を解決するための手段】
【０００７】
この課題の解決を目的としてなされた転送システムは，転送装置と，前記転送装置と通信を行う記憶装置とを備える転送システムにおいて，前記転送装置は，画像データを受信するデータ受信部と，前記データ受信部が受信した画像データを転送先の装置に転送する転送部と，前記データ受信部が受信した画像データへの処理に関するログを生成する生成部と，前記生成部が生成したログを前記記憶装置に送信する送信部とを備え，前記記憶装置は，前記転送装置から送信されたログを受信するログ受信部と，前記ログ受信部が受信したログを記憶する記憶部とを備え，同一の画像データへの処理に関するログが，前記記憶部に複数記憶される状態を排除する排除処理を実行することを特徴としている。
【０００８】
本明細書に開示される転送システムは，転送装置と記憶装置とを備え，転送装置は，画像データを受信し，受信した画像データを転送先の装置に転送し，受信した画像データへの処理に関するログを生成し，生成したログを記憶装置に送信する。記憶装置は，転送装置から送信されたログを受信し，記憶部にログを記憶する。さらに，転送システムは，同一の画像データへの処理に関するログが記憶部に複数記憶される状態を排除する排除処理を実行する。なお，転送装置は，転送専用装置であっても画像処理が可能な装置であってもよい。また，排除処理の実行主体は，転送装置であっても記憶装置であってもよい。また，画像データへの処理には，印刷等の画像処理の他，転送も含まれる。また，画像データへの処理に関するログには，少なくとも画像データが含まれる。また，同一の画像データへの処理に関するログとは，必ずしもデータの完全一致を意味するものではない。例えば，非圧縮の画像データと，その画像データから圧縮された画像データとは，同一の画像データの範疇としてもよい。
【０００９】
本明細書に開示される転送システムによれば，同一の画像データへの処理に関するログが記憶装置に複数記憶される状態が排除される。そのため，同一の画像データへの処理に関するログが整理される。その結果として，記憶装置の記憶部が圧迫される状態を軽減できる。
【００１０】
また，前記記憶装置は，少なくとも前記排除処理を実行する記憶制御部を備え，前記記憶制御部は，同一の画像データへの処理に関するログが前記記憶部に複数記憶されるか否かを判断する判断処理を実行し，前記排除処理では，前記判断処理にて複数のログが記憶されると判断された場合に，前記複数のログのうち前記記憶部に記憶される少なくとも１つのログを削除してもよい。記憶装置が主体となって排除処理を実行することで，転写装置は従来と同じ構成の装置を導入することができ，システム拡張の自由度が高くなる。なお，ログが複数記憶されるか否かの判断は，ログを記憶部に記憶する度に，例えば，転送途中の画像データであれば，転送先から同一の画像データへの処理に関するログが別に送信されるとの予測に基づいて判断してもよい。あるいは，実際に記憶部に記憶されている複数のログの中から，同一の画像データへの処理に関するログがあるか否かの判断を，任意のタイミングで判断してもよい。
【００１１】
また，前記排除処理では，前記複数のログのうち１つの特定のログ以外のログを削除するとよい。ログの排除は，複数のログのうち１つでも排除すれば多少なりとも記憶部の圧迫が軽減されるが，１つのログを残して他を全て排除することで，軽減効果が最も期待できる。
【００１２】
また，前記排除処理では，前記特定のログを，最後に転送先となった前記転送装置から前記記憶装置に送信されたログとするとよい。ログを１つ残す場合，最後に転送先となった装置からのログ，すなわち画像処理を実行したと推測される装置からのログを残すことで，転送のみを行った装置からのログの閲覧を禁止することができる。そのため，ログの安全性の向上が期待できる。
【００１３】
また，前記転送装置は，転送制御部を備え，前記転送制御部は，転送先の装置の画像処理能力に応じて，前記データ受信部が受信した画像データを変更する変更処理を実行し，前記判断処理では，前記変更処理による，変更前の画像データと変更後の画像データとを別の画像データと判断してもよい。転送の過程において画像データに変更が加えられた場合，変更前と変更後の画像データをそれぞれ記憶しておくことで，どのような変更が行われたのかの内容を確認できる。なお，画像データの変更としては，例えば，カラーからモノクロへの変更，高解像度から低解像度への変更，画像サイズの縮小が該当する。
【００１４】
また，前記転送装置は，少なくとも前記排除処理を実行する転送制御部を備え，前記転送制御部は，前記データ受信部が受信した画像データを，自装置から他装置へ転送するか否かを判断する判断処理を実行し，前記排除処理では，前記判断処理にて転送すると判断された場合に，前記画像データへの処理に関するログを前記記憶装置に送信しないとしてもよい。転送する画像データの場合は，同一の画像データに基づくログが転送先の装置から別に送信されると予測される。この場合にはログを送信しないので，ログが複数記憶される状態が排除される。さらに，転送装置が主体となって排除処理を実行することで，ログの記憶装置への送信回数が減り，通信の負荷が軽減される。なお，転送するか否かの判断は，転送装置に記憶される転送先の情報に基づいて判断してもよいし，画像データに付加される最終的な転送装置に関する情報に基づいて判断してもよい。また，ログを送信しない態様には，ログを生成しない態様も，ログを生成するものの送信しない態様も含む。
【００１５】
また，前記転送制御部は，転送先の装置の画像処理能力に応じて，前記データ受信部が受信した画像データを変更する変更処理と，前記変更処理によって画像データを変更した場合に，前記変更処理による変更前の画像データを含むログを前記記憶装置に送信する変更ログ送信処理とを実行するとよい。転送の過程において画像データに変更が加えられた場合，変更前の画像データを含むログを記憶しておくことで，どのような変更が行われたのかの内容を確認できる。なお，画像データの変更としては，例えば，カラーからモノクロへの変更，高解像度から低解像度への変更，画像サイズの縮小が該当する。
【００１６】
また，前記転送制御部は，画像データの転送に関するログの，前記記憶部への記憶を排除してもよい。転送装置による画像データの転送に関するログは，別に最後の転送先からも，同じ画像データへの処理に関するログとして送信される可能性が高い。そのため，ログの重複記憶を回避する上で，画像データの転送に関するログの記憶部への記憶を排除する方が好ましい。
【００１７】
また，前記排除処理は，カラーの画像データへの処理に関するログの場合に実行され，モノクロの画像データへの処理に関するログの場合には実行されないとしてもよい。カラーの画像データの場合は，データサイズが大きい傾向にあるため，同一の画像データに基づくログの数を少なくする方が好ましい。一方，モノクロの画像データの場合は，データサイズが小さい傾向にあり，記憶装置への負荷も小さい。そのため，ログを残し，転送の過程を確認できるようにする方が好ましい。
【００１８】
また，前記排除処理は，高解像度の画像データへの処理に関するログの場合に実行され，前記高解像度よりも低い解像度である低解像度の画像データへの処理に関するログの場合には実行されないとしてもよい。高解像度の画像データの場合は，データサイズが大きい傾向にあるため，同一の画像データに基づくログの数を少なくする方が好ましい。一方，低解像度の画像データの場合は，データサイズが小さい傾向にあり，記憶装置への負荷も小さい。そのため，ログを残し，転送の過程を確認できるようにする方が好ましい。
【００１９】
さらに，本明細書には，画像データへの処理に関するログを受信する受信部と，前記受信部が受信したログを記憶する記憶部と，制御部とを備え，前記制御部は，同一の画像データへの処理に関するログが前記記憶部に複数記憶されるか否かを判断する判断処理と，前記判断処理にて複数のログが記憶されると判断された場合に，前記複数のログのうち前記記憶部に記憶される少なくとも１つのログを削除する排除処理とを実行する記憶装置が開示されている。
【００２０】
さらに，本明細書には，画像データを受信する受信部と，前記受信部が受信した画像データを転送先の装置に転送する転送部と，前記受信部が受信した画像データへの処理に関するログを生成する生成部と，前記生成部が生成したログを記憶装置に送信する送信部と，制御部とを備え，前記制御部は，前記受信部が受信した画像データに対して，自装置から他装置への転送指示を示す転送情報があるか否かを判断する判断処理と，前記判断処理にて前記転送情報があると判断された場合に，前記画像データへの処理に関するログを前記記憶装置に送信しない排除処理とを実行する転送装置が開示されている。
【発明の効果】
【００２１】
本発明によれば，転送された画像データに関するログを記憶する記憶装置の，メモリの圧迫が軽減される転送システム，記憶装置，および転送装置が実現される。
【図面の簡単な説明】
【００２２】
【図１】実施の形態にかかる転送システムの構成を示す説明図である。
【図２】サーバの電気的構成を示すブロック図である。
【図３】ＦＡＸ機の電気的構成を示すブロック図である。
【図４】転送情報を示す説明図である。
【図５】ログ送信処理の手順を示すフローチャートである。
【図６】ＦＡＸデータ変更処理の手順を示すフローチャートである。
【図７】テキストログ生成処理の手順を示すフローチャートである。
【図８】ログ選択処理の手順を示すフローチャートである。
【図９】選択的ログ送信処理の手順を示すフローチャートである。
【図１０】選択的ログ生成処理の手順を示すフローチャートである。
【発明を実施するための形態】
【００２３】
以下，本発明にかかる転送システムを具体化した実施の形態について，添付図面を参照しつつ詳細に説明する。本形態は，サーバと，複数台のＦＡＸ機とが接続された転送システムに本発明を適用したものである。
【００２４】
［転送システムの構成］
本形態の転送システム１は，図１に示すように，サーバ１００と３台のＦＡＸ機２００Ａ，２００Ｂ，２００Ｃと，これらを互いに通信可能に接続するＬＡＮ３００とを有している。ＦＡＸ機２００Ａ，２００Ｂ，２００Ｃは，それぞれＦＡＸデータの受信機能，送信機能，転送機能を有している。なお，以下では，Ａ，Ｂ，Ｃの添え字を省略して，単にＦＡＸ機２００とする。
【００２５】
ＦＡＸ機２００は，それぞれ，電話回線４００に接続されている。また，電話回線４００には，転送システム１に含まれていない外部のＦＡＸ機５００も接続される。従って，ＦＡＸ機２００は，電話回線４００を介して，外部のＦＡＸ機５００とＦＡＸデータの送受信を行うことができる。なお，電話回線４００に直接接続されていないＦＡＸ機２００があってもよい。
【００２６】
ＦＡＸ機２００は，受信したＦＡＸデータを転送システム１に所属する他のＦＡＸ機２００に，ＬＡＮ３００または電話回線４００を介して転送することができる。ＦＡＸ機２００は，他のＦＡＸ機２００から転送されたＦＡＸデータを，さらに他の装置へ転送することもある。ＦＡＸ機２００は，転送装置の一例である。
【００２７】
また，ＦＡＸ機２００は，印刷，転送，ＦＡＸ送信等，画像データへの処理に関するログを生成する。ＦＡＸ機２００は，生成したログを，ＬＡＮ３００を介してサーバ１００に送信する。サーバ１００は，ログを受信し，受信したログを記憶する。サーバ１００は，記憶装置の一例である。
【００２８】
［サーバの電気的構成］
続いて，サーバ１００の電気的構成について説明する。サーバ１００は，図２に示すように，ＣＰＵ３１と，ＲＯＭ３２と，ＲＡＭ３３と，不揮発性記憶部３４とを備えている。サーバ１００は，さらに，ネットワークインターフェース３７を備えている。ネットワークインターフェース３７は，ＬＡＮ３００（図１参照）に接続される。
【００２９】
ＲＯＭ３２には，サーバ１００を制御するための各種制御プログラムや各種設定，初期値等が記憶されている。ＲＡＭ３３は，各種制御プログラムが読み出される作業領域として，あるいは，データを一時的に記憶する記憶領域として利用される。ＣＰＵ３１は，ＲＯＭ３２から読み出した制御プログラムに従って，その処理結果をＲＡＭ３３または不揮発性記憶部３４に記憶させながら，サーバ１００の各構成要素を制御する。
【００３０】
また，不揮発性記憶部３４には，ネットワークインターフェース３７を介してＦＡＸ機２００から受信したログが記憶される。ＣＰＵ３１は，不揮発性記憶部３４に記憶されるログの管理を行う。サーバ１００のＣＰＵ３１は，記憶制御部の一例である。また，不揮発性記憶部３４は，記憶部の一例である。ネットワークインターフェース３７は，ログ受信部の一例である。
【００３１】
［ＦＡＸ機の電気的構成］
続いて，ＦＡＸ機２００の電気的構成について説明する。ＦＡＸ機２００は，図３に示すように，ＣＰＵ２３１と，ＲＯＭ２３２と，ＲＡＭ２３３と，不揮発性記憶部２３４とを備えている。ＦＡＸ機２００は，さらに，読取部２３５，印刷部２３６，ネットワークインターフェース２３７，ＦＡＸインターフェース２３８を備えている。ネットワークインターフェース２３７は，ＬＡＮ３００（図１参照）に接続される。ＦＡＸインターフェース２３８は，電話回線４００に接続される。
【００３２】
ＲＯＭ２３２には，ＦＡＸ機２００を制御するための各種制御プログラムや各種設定，初期値等が記憶されている。ＲＡＭ２３３は，各種制御プログラムが読み出される作業領域として，あるいは，データを一時的に記憶する記憶領域として利用される。ＣＰＵ２３１は，ＲＯＭ２３２から読み出した制御プログラムに従って，その処理結果をＲＡＭ２３３または不揮発性記憶部２３４に記憶させながら，ＦＡＸ機２００の各構成要素を制御する。
【００３３】
読取部２３５は，ＦＡＸ送信する原稿の画像を読み取る。印刷部２３６は，受信したＦＡＸデータに基づく画像を用紙に印刷する。ネットワークインターフェース２３７は，ＬＡＮ３００を介してデータの送受信を行う。ＦＡＸインターフェース２３８は，電話回線４００を介してデータの送受信を行う。読取部２３５，印刷部２３６，ネットワークインターフェース２３７，ＦＡＸインターフェース２３８は，それぞれ，ＣＰＵ２３１によって制御される。
【００３４】
不揮発性記憶部２３４には，転送指示を示す情報である転送情報２４０が記憶される。転送情報２４０は，例えば，図４に示すように，受信したＦＡＸデータのうち転送が必要な宛先と，その転送先の情報が関連付けて記憶されている。転送が不要な宛先については，転送先の情報が無くてよい。または，転送が不要な宛先についての欄がなくてもよい。また，転送先の装置の情報としては，少なくとも転送先の装置を特定する識別符号を含んでいればよく，例えばＩＰアドレスが該当する。
【００３５】
ＦＡＸ機２００のＣＰＵ２３１は，ＦＡＸデータを受信した際に，不揮発性記憶部２３４の転送情報２４０を参照して，受信したＦＡＸデータを転送するか否かを判断する。つまり，転送情報２４０に転送先の情報が記憶されていれば転送が必要と判断し，記憶されていなければ転送は不要と判断する。そして，必要と判断すれば，転送情報２４０に記憶されている転送先の装置へそのＦＡＸデータを転送する。あるいは，ＦＡＸデータに転送を指定する情報が付加されている場合には，その情報に基づいて転送してもよい。
【００３６】
なお，ＦＡＸ機２００は，転送先の装置の性能に基づいて，受信したＦＡＸデータの画像データを変更してから転送する場合もある。画像データの変更処理としては，例えば，カラー画像からモノクロ画像へのデータ形式の変更，高解像度から低解像度への解像度の変更がある。
【００３７】
ＦＡＸ機２００のＣＰＵ２３１は，ＦＡＸデータを受信し，そのＦＡＸデータに含まれる画像データへの処理を行った場合には，その処理に関するログを生成する。そして，ＦＡＸ機２００は，ネットワークインターフェース２３７を介して，生成したログをサーバ１００に送信する。ＣＰＵ２３１は，転送部，生成部，転送制御部の一例である。ネットワークインターフェース２３７，および，ＦＡＸインターフェース２３８は，データ受信部の一例である。また，ネットワークインターフェース２３７は，送信部の一例でもある。
【００３８】
［ログ管理］
続いて，転送システム１におけるログ管理処理について説明する。転送システム１に所属するＦＡＸ機２００は，受信したＦＡＸデータの画像データへの処理に関するログを生成する。さらに，ＦＡＸ機２００は，生成したログをサーバ１００に送信する。画像データへの処理とは，例えば，印刷等の画像処理，転送処理，変更処理が含まれる。ＦＡＸ機２００によって生成されるログには，少なくとも，画像データに基づく画像ログと，送信情報を含むテキストログとが含まれる。画像ログは，ＦＡＸ機２００が受信した画像データに基づいて生成される。テキストログには，例えば，送信元，送信先の情報が含まれる。
【００３９】
前述のように，転送システム１では，所属するＦＡＸ機２００同士の間でＦＡＸデータを転送する場合がある。その場合，ＦＡＸデータを転送したＦＡＸ機２００と，転送されたＦＡＸデータに基づいて印刷したＦＡＸ機２００とが，同一の画像データへの処理に関するログを生成する可能性がある。そして，転送システム１に所属するＦＡＸ機２００で生成されたログは，いずれのＦＡＸ機２００からもサーバ１００に送信される。なお，同一の画像データへの処理に関するログとは，処理の種類に関わらず，同一の画像データに基づく画像ログが含まれるログのことである。
【００４０】
同一の画像データへの処理に関するログが複数のＦＡＸ機２００にて生成され，それぞれサーバ１００に送信されて，サーバ１００の不揮発性記憶部３４に記憶されると，不揮発性記憶部３４のメモリを圧迫する可能性がある。そこで，本形態の転送システム１では，同一の画像データへの処理に関するログがサーバ１００に複数記憶される状態を排除する，排除処理を実行する。なお，例えば，非圧縮の画像データとその画像データから圧縮された画像データ等の，同一の画像に基づく画像データは，「同一の画像データ」の範疇として扱ってもよい。
【００４１】
転送システム１では，この排除処理を，サーバ１００と各ＦＡＸ機２００との少なくとも一方が実行する。以下では，この排除処理を，サーバ１００が実行する例（第１の形態）とＦＡＸ機２００が実行する例（第２の形態）とについてそれぞれ説明する。転送システム１は，予め一方の処理のみを有していてもよいし，両方の処理を有してもよい。両方を有する転送システム１では，管理者によっていずれかが選択されてもよいし，両方の処理が並行して実行されてもよい。
【００４２】
［第１の形態］
第１の形態は，サーバ１００が排除処理を実行する例である。そのために，ＦＡＸ機２００は，ログの生成と送信とを制御するログ送信処理を実行し，サーバ１００は，そのログを記憶するか否かを選択するログ選択処理を実行する。
【００４３】
［ログ送信処理］
始めに，ＦＡＸ機２００が実行するログ送信処理の手順について，図５のフローチャートを参照しつつ説明する。ログ送信処理は，ＦＡＸデータを受信したことを契機に，ＣＰＵ２３１によって実行される。
【００４４】
ログ送信処理では，まず，転送情報２４０を参照して，受信したＦＡＸデータの転送指示があるか否かを判断する（Ｓ１０１）。例えば，受信したＦＡＸデータの宛先が転送情報２４０に記憶されておらず，かつ，受信したＦＡＸデータに転送指示が含まれていない場合には，このＦＡＸデータの転送指示はないと判断する。このＦＡＸデータの転送指示はないと判断した場合には（Ｓ１０１：Ｎｏ），ＦＡＸデータに含まれる画像データに基づく印刷を印刷部２３６に行わせる（Ｓ１０２）。
【００４５】
一方，例えば，受信したＦＡＸデータの宛先が転送情報２４０に記憶されている場合，あるいは，受信したＦＡＸデータに転送指示が含まれている場合には，転送指示があると判断する。そして，転送指示があると判断した場合は（Ｓ１０１：Ｙｅｓ），ＦＡＸデータ変更処理を実行する（Ｓ１０３）。ＦＡＸデータ変更処理は，ＦＡＸ機２００において実行される変更処理の一例である。
【００４６】
図６に，Ｓ１０３にて実行されるＦＡＸデータ変更処理の手順を示す。ＣＰＵ２３１は，ＦＡＸデータ変更処理を開始すると，まず，自装置と転送先の装置とのネゴシエーションを行う（Ｓ２０１）。すなわち，自装置と転送先の装置と間で通信を開始し，転送先の装置の状態及び機能を取得する。そして，転送先の装置の機能に基づいて，受信したＦＡＸデータに含まれる画像データの変更を行う必要があるか否かを判断する。
【００４７】
まず，画像データのカラー／モノクロ変更が必要であるか否かを判断する（Ｓ２０２）。例えば，受信したＦＡＸデータがカラー画像を含むデータであり，転送先の装置がカラー画像を処理できないがモノクロ画像を処理できる装置である場合には，データ形式をカラー画像からモノクロ画像に変更する必要がある。必要であると判断した場合には（Ｓ２０２：Ｙｅｓ），受信したＦＡＸデータの画像データを，カラーからモノクロに変更する（Ｓ２０３）。必要ではないと判断した場合は（Ｓ２０２：Ｎｏ），Ｓ２０４に進む。カラー画像を処理する能力は，装置の画像処理能力の一例である。
【００４８】
次に，ＣＰＵ２３１は，解像度の変更が必要か否かを判断する（Ｓ２０４）。例えば，受信したＦＡＸデータが高解像度の画像データを含み，転送先の装置が，低解像度の画像データしか処理できない場合には，画像データを低解像度に変更する必要がある。必要であると判断した場合には（Ｓ２０４：Ｙｅｓ），受信したＦＡＸデータの画像データの解像度を変更し（Ｓ２０５），図５に戻る。必要ではないと判断した場合は（Ｓ２０４：Ｎｏ），そのまま図５に戻る。どの程度の解像度に変更するかについては，Ｓ２０１のネゴシエーションの結果に基づいて決定すればよい。
【００４９】
例えば，６００ｄｐｉの解像度の画像データを転送する場合に，自装置が６００ｄｐｉの解像度に対応しており，転送先の装置が３００ｄｐｉの解像度にしか対応していないとき，自装置は，６００ｄｐｉの解像度の画像データを３００ｄｐｉの解像度に変更して，３００ｄｐｉの解像度に変更した画像データを転送先の装置に転送する。この例では，６００ｄｐｉの解像度が高解像度であり，３００ｄｐｉの解像度が低解像度である。そして，高解像度の画像データを処理する能力は，装置の画像処理能力の一例である。
【００５０】
ＦＡＸデータ変更処理が終了した後，図５のＳ１０４に進み，データ転送を開始する（Ｓ１０４）。さらに，全てのデータの転送が完了したか否かを判断し（Ｓ１０５），転送が完了していなければ（Ｓ１０５：Ｎｏ），完了するまで転送を継続する。転送が完了したら（Ｓ１０５：Ｙｅｓ），テキストログ生成処理（Ｓ１０６）に進む。
【００５１】
図７に，Ｓ１０６にて実行されるテキストログ生成処理の手順を示す。本形態ＦＡＸ機２００にて生成されるテキストログは，対象となるＦＡＸデータへの処理に関して，少なくとも「送信元」，「送信先」，「データ形式」，「解像度」の４項目の情報を含む。「データ形式」は，データ形式の変更の有無の情報であり，「解像度」は，解像度の変更の有無の情報である。テキストログ生成処理では，これらの４項目の内容をそれぞれ決定する。
【００５２】
ＣＰＵ２３１は，テキストログ生成処理を開始すると，まず，対象であるＦＡＸデータを転送したか否かを判断する（Ｓ３０１）。転送していないと判断した場合は（Ｓ３０１：Ｎｏ），テキストログの「送信元」を「送信元の装置」とする（Ｓ３０２）。すなわち，自装置が受信したＦＡＸデータを，自装置に対して送信した装置が，送信元である。例えば，外部のＦＡＸ機５００から受信したＦＡＸデータである場合には，ＦＡＸ機５００が送信元となる。さらに，テキストログの「送信先」を「自装置」とする（Ｓ３０３）。これにより，自装置がこのＦＡＸデータの最終的な受信装置であり，他の装置へ転送していないことを表す。
【００５３】
また，自装置から他の装置へ転送しない場合には，データ形式および解像度は，いずれも変更する必要はない。そこで，テキストログの「データ形式」を「変更なし」とし（Ｓ３０４），「解像度」を「変更なし」とする（Ｓ３０５）。転送していない場合には，これでテキストログの生成を終了する。
【００５４】
一方，転送したと判断した場合は（Ｓ３０１：Ｙｅｓ），テキストログの「送信元」を「送信元の装置」とする（Ｓ３０６）。また，テキストログの「送信先」を「転送先の装置」とする（Ｓ３０７）。例えば，ＦＡＸ機２００Ａにおいて，外部のＦＡＸ機５００から受信したＦＡＸデータをＦＡＸ機２００Ｂへ転送した場合には，送信元はＦＡＸ機５００であり，送信先はＦＡＸ機２００Ｂである。これにより，このＦＡＸデータは，送信元の装置から自装置を経て転送先の装置へ転送されたことがわかる。
【００５５】
次に，ＣＰＵ２３１は，データ形式の変更を行ったか否かを判断する（Ｓ３０８）。例えば，Ｓ２０３においてカラーデータをモノクロデータに変更した場合には，データ形式を変更したと判断する。そして，データ形式を変更したと判断した場合には（Ｓ３０８：Ｙｅｓ），テキストログの「データ形式」を「変更あり」とする（Ｓ３０９）。一方，データ形式を変更しなかったと判断した場合には（Ｓ３０８：Ｎｏ），テキストログの「データ形式」を「変更なし」とする（Ｓ３１０）。
【００５６】
次に，ＣＰＵ２３１は，画像データの解像度の変更を行ったか否かを判断する（Ｓ３１１）。例えば，Ｓ２０５において解像度を変更した場合には，解像度を変更したと判断する。そして，解像度を変更したと判断した場合には（Ｓ３１１：Ｙｅｓ），テキストログの「解像度」を「変更あり」とする（Ｓ３１２）。一方，解像度を変更しなかったと判断した場合には（Ｓ３１１：Ｎｏ），テキストログの「解像度」を「変更なし」とする（Ｓ３１３）。これにより，テキストログが生成されたことになる。
【００５７】
テキストログ生成処理が終了した後，図５に戻って，Ｓ１０７へ進む。すなわち，生成したテキストログと，画像データに基づく画像ログとを，サーバ１００に送信する（Ｓ１０７）。なお，画像ログは，受信した画像データ，すなわち，印刷等の画像処理，転送処理，変更処理等のＦＡＸ機２００における処理の対象となった画像データを含む。
【００５８】
ログの送信が終了したら，ログ送信処理を終了する。これにより，ＦＡＸ機２００からサーバ１００に送信されるログには，そのＦＡＸデータを他の装置へ転送したか否か，および，ＦＡＸ機２００において画像データに変更を加えたか否かの情報を含むテキストログが付加される。
【００５９】
［ログ選択処理］
続いて，サーバ１００が実行するログ選択処理の手順について，図８のフローチャートを参照しつつ説明する。ログ選択処理は，ログを受信したことを契機に，ＣＰＵ３１によって実行される。なお，ログ選択処理は，ログを受信したときに限らず，予め決めた任意のタイミングで実行してもよいし，サーバ１００の管理者の指示を受けて実行してもよい。このログ選択処理は，サーバ１００において実行される判断処理と排除処理との一例である。
【００６０】
ログ選択処理では，まず，受信したログからテキストログの「送信先」の情報を読み出す。そして，「送信先」が「自装置」であるか否かを判断する（Ｓ４０１）。「送信先」が「自装置」であると判断した場合は（Ｓ４０１：Ｙｅｓ），このログは対象とするＦＡＸデータの最終的な受信装置から送信されていると判断できる。そのため，このログを不揮発性記憶部３４に記憶する（Ｓ４０２）。このようにすれば，例えば，転送システム１内で転送されたＦＡＸデータについてのログであっても，少なくとも，最後に転送先となった装置から送信されたログは記憶される。
【００６１】
一方，「送信先」が「自装置」ではないと判断した場合は（Ｓ４０１：Ｎｏ），このログを送信したＦＡＸ機２００は，対象とするＦＡＸデータの最終的な受信装置ではないと判断できる。つまり，同一の画像データに基づく画像ログが含まれるログが，本ログを送信した装置以外の装置でも生成される可能性がある。そこで，サーバ１００は，このログを保存しておくか否かを，テキストログの内容に基づいてさらに判断する。
【００６２】
そこで，テキストログの「データ形式」の情報を読み出す。そして，「データ形式」が「変更あり」であるか否かを判断する（Ｓ４０３）。「データ形式」が「変更あり」であると判断した場合は（Ｓ４０３：Ｙｅｓ），このログを送信したＦＡＸ機２００において，画像データのデータ形式が変更されていると判断できる。つまり，転送先の装置から送信されるログの画像データと，このログの画像データとは同一の画像データではない。そのため，どのような変更が行われたのかの内容を確認できるように，このログを不揮発性記憶部３４に記憶する（Ｓ４０２）。
【００６３】
一方，「データ形式」が「変更あり」ではないと判断した場合は（Ｓ４０３：Ｎｏ），次に，テキストログの「解像度」の情報を読み出す。そして，「解像度」が「変更あり」であるか否かを判断する（Ｓ４０４）。「解像度」が「変更あり」であると判断した場合は（Ｓ４０４：Ｙｅｓ），このログを送信したＦＡＸ機２００において，画像データの解像度が変更されていると判断できる。つまり，転送先の装置から送信されるログの画像データと，このログの画像データとは同一の画像データではない。そのため，どのような変更が行われたのかの内容を確認できるように，このログを不揮発性記憶部３４に記憶する（Ｓ４０２）。
【００６４】
「解像度」が「変更あり」ではないと判断した場合は（Ｓ４０４：Ｎｏ），次に，画像データを参照する。そして，画像データがモノクロ画像の画像データであるか否かを判断する（Ｓ４０５）。モノクロ画像であると判断した場合は（Ｓ４０５：Ｙｅｓ），このログのデータ量はさほど大きくない。そのため，メモリを圧迫する可能性が低いことから，このログを不揮発性記憶部３４に記憶する（Ｓ４０２）。
【００６５】
モノクロ画像ではないと判断した場合は（Ｓ４０５：Ｎｏ），次に，画像データが低解像度画像の画像データであるか否かを判断する（Ｓ４０６）。低解像度画像であると判断した場合は（Ｓ４０６：Ｙｅｓ），このログのデータ量はさほど大きくない。そのため，メモリを圧迫する可能性が低いことから，このログを不揮発性記憶部３４に記憶する（Ｓ４０２）。例えば，６００ｄｐｉの解像度の画像データは高解像度の画像データの一例であり，３００ｄｐｉの解像度の画像データは低解像度の画像データの一例である。
【００６６】
一方，画像データが低解像度画像ではないと判断した場合は（Ｓ４０６：Ｎｏ），このログのデータ量はかなり大きいと推測される。そして，このログを送信したＦＡＸ機２００からさらに他の装置へ転送されたＦＡＸデータであることから，転送先の装置からも同一の画像データへの処理に関するログが送信されてくることが予測される。そこで，このログを保存しないと決定し，受信したログを削除する（Ｓ４０７）。つまり，最後に転送先となった装置から送信されたログ以外のログのうち，Ｓ４０３〜Ｓ４０６においてすべてＮｏであったログは削除される。以上で，ログ選択処理を終了する。
【００６７】
なお，サーバ１００に記憶されているログは，そのログを送信した装置からは確認することができる場合が多い。つまり，ログがサーバ１００に記憶されていると，その装置のユーザによって，ログを閲覧される可能性がある。本形態の転送システム１では，最後に転送先となった装置が記憶させたログである特定のログはサーバ１００に記憶され，それ以外のログは削除されることが期待できる。そして，最後に転送先となった装置は，その画像データの画像処理を実行した装置であると推測される。つまり，転送のみを行った装置から送信されたログは削除されるので，画像処理に関与しない第三者が利用する装置からのログの閲覧を禁止することができ，その結果としてログの安全性の向上が期待できる。
【００６８】
第１の形態では，ＦＡＸ機２００は，受信したＦＡＸデータの画像データへの処理に関するログを生成する際に，テキストログとして送信情報を付加する。テキストログには，そのＦＡＸデータを転送したか否かの情報および，画像データを変更する処理を行ったか否かの情報，画像データのデータサイズが大きいか否かの情報が含まれる。そして，テキストログを含むログを受信したサーバ１００では，テキストログの内容に基づいて，そのログを保存するか否かを判断する。サーバ１００は，少なくとも，同一の画像データが他の装置に転送されていないか，画像データのサイズがさほど大きくないかのいずれか以外の場合には，そのログを削除する。従って，サーバ１００の不揮発性記憶部３４が圧迫される事態の軽減が期待できる。さらに，ＦＡＸ機２００としては，従来と同じ構成の装置を導入することができるので，システム拡張の自由度が高い。
【００６９】
［第２の形態］
第２の形態では，ＦＡＸ機２００にて排除処理が実行される。つまり，ＦＡＸ機２００は，受信したＦＡＸデータについてのログを排除すべきであるか否かを判断し，排除すべきであると判断した場合には，サーバ１００に送信しない。そのために，ＦＡＸ機２００は，選択的ログ送信処理を実行し，サーバ１００は，送信されたログをすべて不揮発性記憶部３４に記憶する。この点，ＦＡＸ機２００が送信情報を含むテキストログを生成し，サーバ１００がテキストログに基づいてログを選択する第１の形態と異なる。
【００７０】
［選択的ログ送信処理］
次に，ＦＡＸ機２００にて実行される選択的ログ送信処理の手順について，図９のフローチャートを参照しつつ説明する。選択的ログ送信処理は，ＦＡＸデータを受信したことを契機に，ＦＡＸ機２００のＣＰＵ２３１によって実行される。なお，選択的ログ送信処理において，第１の形態におけるログ送信処理と同様の処理については，ログ送信処理と同じ符号を付し，説明を省略する。選択的ログ送信処理は，ＦＡＸ機２００において実行される判断処理と排除処理と変更ログ送信処理の一例である。
【００７１】
選択的ログ送信処理では，まず，第１の形態におけるログ送信処理と同様に，Ｓ１０１〜Ｓ１０５の処理を実行する。そして，転送指示がなく印刷を実行した（Ｓ１０２）後，または，転送処理を完了した（Ｓ１０５）後に，選択的ログ生成処理を実行する（Ｓ５０６）。
【００７２】
図１０に，Ｓ５０６にて実行される選択的ログ生成処理の手順を示す。選択的ログ生成処理では，まず，受信したＦＡＸデータを転送したか否かを判断する（Ｓ６０１）。図９のＳ１０１にて転送指示がなく，転送しなかったと判断された場合には（Ｓ６０１：Ｎｏ），自装置がそのＦＡＸデータの最終的な受信装置であるので，このＦＡＸデータのログを残す必要がある。そこで，ログを生成する（Ｓ６０２）。なお，Ｓ６０２で生成されるログは，テキストログと画像ログとを含む。画像ログは，受信した画像データに基づいて生成される。テキストログは，例えば，送信元，送信先の情報を含む。
【００７３】
一方，転送したと判断した場合は（Ｓ６０１：Ｙｅｓ），自装置はこのＦＡＸデータの最終的な受信装置ではない。そこで，このＦＡＸデータについてのログを生成するか否かをさらに判断する。そのために，次に，画像データのデータ形式の変更を行ったか否かを判断する（Ｓ６０３）。
【００７４】
データ形式を変更したと判断した場合は（Ｓ６０３：Ｙｅｓ），転送先の装置が受信したＦＡＸデータの画像データと，このＦＡＸ機２００にて変更する前の画像データでは，データ形式が異なる。異なるデータであれば，ログを残すことにより，変更の内容を確認できるので好ましい。そこで，このＦＡＸ機２００では，変更前の画像データへの処理，この場合では画像データのデータ形式の変更処理についてのログを生成する（Ｓ６０２）。このログには，変更前の画像データに基づく画像ログが付加される。
【００７５】
一方，データ形式を変更していないと判断した場合は（Ｓ６０３：Ｎｏ），次に，解像度の変更を行ったか否かを判断する（Ｓ６０４）。解像度の変更を行ったと判断した場合は（Ｓ６０４：Ｙｅｓ），ログを残すことにより，解像度の変更を確認できるので好ましい。そこで，解像度の変更前の画像データへの処理，この場合では低解像度の画像への変更処理についてのログを生成する（Ｓ６０２）。このログには，解像度の変更前の画像データに基づく画像ログが付加される。
【００７６】
解像度の変更も行っていないと判断した場合は（Ｓ６０４：Ｎｏ），次に，画像がモノクロ画像であるか否かを判断する（Ｓ６０５）。モノクロ画像であると判断した場合は（Ｓ６０５：Ｙｅｓ），この画像データに基づく画像ログを含むログを生成しても，そのデータ量はさほど大きくないと判断できる。そこで，ログを生成する（Ｓ６０２）。
【００７７】
一方，画像がモノクロ画像ではないと判断した場合は（Ｓ６０５：Ｎｏ），次に，低解像度の画像であるか否かを判断する（Ｓ６０６）。低解像度の画像であると判断した場合は（Ｓ６０６：Ｙｅｓ），この画像データに基づく画像ログを含むログを生成しても，そのデータ量はさほど大きくないと判断できる。そこで，ログを生成する（Ｓ６０２）。
【００７８】
一方，画像データが，モノクロ画像でもなく，低解像度の画像でもないと判断した場合は（Ｓ６０６：Ｎｏ），この画像データに基づく画像ログを含むログを生成した場合，そのデータ量はある程度大きいと推測される。そして，このＦＡＸデータは，他の装置へ転送したＦＡＸデータであることから，転送先の装置からも同一の画像データへの処理に関するログが送信されることが予測される。従って，このログを送信する必要はないと判断し，ログを生成しない。以上で，選択的ログ生成処理を終了する。
【００７９】
図９に戻り，Ｓ５０６の選択的ログ生成処理にてログを生成したか否かを判断する（Ｓ５０７）。ログを生成したと判断した場合は（Ｓ５０７：Ｙｅｓ），生成したログをサーバ１００に送信する（Ｓ５０８）。このログは，テキストログと画像ログとを含む。一方，ログを生成しなかったと判断した場合は（Ｓ５０７：Ｎｏ），ログの送信を行うことなく，本処理を終了する。これで，選択的ログ送信処理を終了する。
【００８０】
ログを受信したサーバ１００は，受信したログを不揮発性記憶部３４に記憶する。本形態では，ＦＡＸ機２００が排除処理を行っていることから，サーバ１００は，第１の形態でのログ選択処理を実行する必要がない。
【００８１】
第２の形態では，ＦＡＸ機２００は，受信したＦＡＸデータを他装置へ転送しなかった場合，データの変更処理を行った場合，画像データのサイズがさほど大きくないと判断できる場合のいずれの場合にも該当しない場合には，ログを送信しない。つまり，同一の画像ログを含むログが他の装置からもサーバ１００に送信されると予測される場合には，ログを送信しない。単に他装置へ転送しただけのＦＡＸ機２００からは，そのＦＡＸデータに関するログは送信されない。つまり，サーバ１００に送信されるログは，同一の画像データへの処理に関するログが他装置から送信される可能性が小さいものだけである。従って，サーバ１００の不揮発性記憶部３４が圧迫される事態の軽減が期待できる。さらに，ログの送信回数を減らすことができるので，通信負荷の軽減も期待できる。
【００８２】
なお，第２の形態では，ＦＡＸ機２００は，すべての受信したＦＡＸデータについて，その画像データへの処理に関するログを生成した後，ログの送信前にログの送信が必要か不要かを判断するとしてもよい。また，ＦＡＸ機２００は，ログの送信が必要か不要かを判断する際に，サーバ１００に問い合わせを行い，同一の画像データへの処理に関するログが保存されているか否かの回答を得て，その回答に基づいて判断するとしてもよい。ただし，最後に転送先となったＦＡＸ機２００だけがログを生成し，サーバ１００に送信することとすれば，画像処理に関与しない第三者が利用する装置からのログの閲覧を禁止することができ，その結果としてログの安全性の向上が期待できる。
【００８３】
以上，詳細に説明したように，第１及び第２の形態の転送システム１では，ＦＡＸ機２００は，画像データを受信し，受信した画像データを他の装置に転送し，受信した画像データへの処理に関するログを生成して，サーバ１００に送信する。一方，サーバ１００は，ＦＡＸ機２００からログを受信し，受信したログを不揮発性記憶部３４に記憶する。さらに，同一の画像データへの処理に関するログが，不揮発性記憶部３４に複数記憶される状態を排除する排除処理が実行される。従って，サーバ１００の不揮発性記憶部３４が圧迫される事態の軽減が期待できる。
【００８４】
なお，本実施の形態は単なる例示にすぎず，本発明を何ら限定するものではない。したがって本発明は当然に，その要旨を逸脱しない範囲内で種々の改良，変形が可能である。例えば，転送装置としては，ＦＡＸ機に限らず，複合機，ＰＣ，プリンタ等の画像データの転送機能を備えるものであれば適用可能である。また，電話回線４００を介してのＦＡＸに限らず，ネットワーク回線を介したインターネットＦＡＸにも適用可能である。
【００８５】
また，例えば，排除処理の対象となるログは，画像ログとテキストログとの両方を含むログであって，これらをまとめて処理するとしたが，画像ログが複数記憶される状態を排除するのみで，テキストログは残すとしてもよい。ただし，両方をまとめて処理する方が，ログの管理は容易である。また，実施の形態では，画像処理や転送処理に関する画像ログとして受信した画像データを含む画像ログを生成しているが，受信した画像データに代えて，処理時の画像データに基づく画像ログを生成してもよい。
【００８６】
また，例えば，図８または図１０に示した処理では，必ずしも全ての判断を行わなくてもよい。図８のログ選択処理では，Ｓ４０１，Ｓ４０３〜Ｓ４０６の判断のうち，少なくとも１つの判断を実行すればよい。また，図１０の選択的ログ生成処理では，Ｓ６０１，Ｓ６０３〜Ｓ６０６の判断のうち，少なくとも１つの判断を実行すればよい。
【００８７】
また，例えば，実施の形態では，データ形式や解像度の変更を行った場合には，変更前後の両方のログを残すとしたが，これらの場合にも残すログは１つだけとしてもよい。その場合，カラー画像や高解像度画像だけを残すこととすれば，より詳細な情報を含む画像ログが残る。一方，最終的な受信装置にて受信された画像のみを残すこととすれば，実際にユーザに渡った情報に近い画像ログが残る。あるいは，システムの管理者によって選択された画像のみを残すとしてもよい。ただし，画像の変更の前後のログを残せば，データの変更状況を管理できる。なお，画像データの変更処理には，画像サイズの縮小処理も含んでもよい。
【００８８】
また，例えば，実施の形態では，モノクロ画像や低解像度画像のログは残すとしたが，これらについても，複数記憶されないようにしてもよい。例えば，図８のログ選択処理では，Ｓ４０５，Ｓ４０６の処理を実行しないとしてもよい。また，図１０の選択的ログ生成処理では，Ｓ６０５，Ｓ６０６の処理を実行しないとしてもよい。
【００８９】
また，例えば，高解像度か低解像度かの判断は，所定の解像度と比較して行ってもよい。あるいは，画像データのデータサイズと閾値とを比較して，データサイズが小さい画像データの画像ログに限ってログを残すとしてもよい。できるだけ多くのログを削除することで，不揮発性記憶部３４の圧迫を軽減する効果がより高くなることが期待できる。一方，不揮発性記憶部３４の圧迫とならない範囲でログをできるだけ残せば，より確実に管理できる。
【００９０】
また，例えば，実施の形態では，同一の画像データへの処理に関するログのうち，最終的な受信装置であるＦＡＸ機２００からのログだけを記憶するとしたが，これに限らず，それ以外のＦＡＸ機２００からのログを選択して保存するようにしてもよい。例えば，通信の負荷に余裕のあるＦＡＸ機２００からログを送信するようにすれば，システム全体の通信負荷が軽減される可能性がある。ただし，最後に転送先となったＦＡＸ機２００からのログだけを残すこととすれば，転送に関与しただけのＦＡＸ機２００において，ユーザにそのログを閲覧されることが抑制されるので，ログの安全性の向上が期待できる。
【００９１】
また，例えば，転送先の装置が転送システム１に所属する装置である場合に限って，排除処理を実行するとしてもよい。つまり，転送システム１の装置から，転送システム１以外の装置へ転送する際には，ログを残すこととしてもよい。このようにすれば，少なくとも１つのログを確実に残すことが期待できる。
【００９２】
また，例えば，転送される画像データは，ＦＡＸデータに限らず，ＰＣ等から送信される印刷用の画像データでもよい。
【００９３】
また，例えば，実施の形態では，ＦＡＸ機２００は，ＦＡＸデータを転送する場合には，そのＦＡＸデータに基づく印刷はしないとしたが，印刷してもよい。
【００９４】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９５】
１  転送システム
３１  ＣＰＵ
３４  不揮発性記憶部
３７  ネットワークインターフェース
１００  サーバ
２００  ＦＡＸ機
２３１  ＣＰＵ
２３４  不揮発性記憶部
２３７  ネットワークインターフェース
２３８  ＦＡＸインターフェース
【図１】
2014120903.tif 000003
【図２】
2014120903.tif 000004
【図３】
2014120903.tif 000005
【図４】
2014120903.tif 000006
【図５】
2014120903.tif 000007
【図６】
2014120903.tif 000008
【図７】
2014120903.tif 000009
【図８】
2014120903.tif 000010
【図９】
2014120903.tif 000011
【図１０】
2014120903.tif 000012